(57)【要約】【課題】ユーザを快適に目覚めさせることが可能な照明装置を提供する。【解決手段】起床予定時刻を入力する入力部１１と、現在時刻を検出する計時部１２と、可視光を発生する可視光照射部１６と、赤外線を発生する熱放射用赤外線照射部１７と、可視光照射部１６および熱放射用赤外線照射部１７を制御する制御部１５とを備える。制御部１５は、入力部１１によって入力された起床予定時刻、および予め設定された調光スケジュールに基づいて可視光照射部１６から発生する可視光の出力を漸増させるとともに、可視光の漸増期間中における少なくとも一区間に、熱放射用赤外線照射部１７から赤外線を発生させる。【選択図】図１
2012079542.tif 000002
【特許請求の範囲】
【請求項１】
現在時刻を検出する計時部と、
起床予定時刻を入力する入力部と、
可視光を発生する可視光照射部と、
赤外線を発生する熱放射用赤外線照射部と、
前記可視光照射部および前記熱放射用赤外線照射部を制御する制御部とを備え、
前記制御部は、前記入力部によって入力された起床予定時刻、および予め設定された調光スケジュールに基づいて、前記可視光照射部から発生する前記可視光の出力を漸増させるとともに、前記可視光の漸増期間中における少なくとも一区間に、前記熱放射用赤外線照射部から前記赤外線を発生させる照明装置。
【請求項２】
請求項１に記載の照明装置において、
前記熱放射用赤外線照射部は、前記可視光の出力が漸増開始してから一定期間は動作しない照明装置。
【請求項３】
請求項１または請求項２に記載の照明装置において、
ユーザの身体における動作を検出する体動検知部を有し、前記体動検知部による検知量が予め定められた所定値よりも大きい場合には、前記熱放射用赤外線照射部の出力を減少もしくは停止する照明装置。
【発明の詳細な説明】
【技術分野】
【０００１】
本発明は、照明装置に関する。
【背景技術】
【０００２】
従来より、比較的深い睡眠からの急激な目覚めを回避するため、照明(光)を用いた目覚まし装置が知られている（例えば、特許文献１参照）。
【先行技術文献】
【特許文献】
【０００３】
【特許文献１】特許第３５５０７８４号公報（請求項１、段落００１５、図１、図２）
【発明の概要】
【発明が解決しようとする課題】
【０００４】
しかしながら、従来の目覚まし装置は、ユーザを光のみによって目覚めさせるため、場合によってはユーザに不快感を与える虞があった。
【０００５】
本発明は、前述した課題を解決するためになされたものであり、ユーザを快適に目覚めさせることが可能な照明装置を提供することにある。
【課題を解決するための手段】
【０００６】
本発明の照明装置は、現在時刻を検出する計時部と、起床予定時刻を入力する入力部と、可視光を発生する可視光照射部と、赤外線を発生する熱放射用赤外線照射部と、前記可視光照射部および前記熱放射用赤外線照射部を制御する制御部とを備え、前記制御部は、前記入力部によって入力された前記起床予定時刻、および予め設定された調光スケジュールに基づいて、前記可視光照射部から発生する可視光の出力を漸増させるとともに、可視光の漸増期間中における少なくとも一区間に、前記熱放射用赤外線照射部から赤外線を発生させる。
【０００７】
ここで、前記熱放射用赤外線照射部は、可視光の出力における漸増開始から一定時間は動作しないようにできる。
【０００８】
また、ユーザの身体における動作を検出する体動検知部を有し、前記体動検知部による検知量が予め定められた所定値よりも大きい場合には、前記熱放射用赤外線照射部の出力を減少もしくは停止できる。
【発明の効果】
【０００９】
本発明によれば、可視光と赤外線による熱によってユーザを目覚めさせることにより、ユーザを快適に目覚めさせることができる。
【図面の簡単な説明】
【００１０】
【図１】本発明に係る実施形態の照明装置を示す図
【図２】実施例１の可視光および赤外線の照射態様を示す図
【図３】実施例２の可視光および赤外線の照射態様を示す図
【図４】実施例３の可視光および赤外線の照射態様を示す図
【図５】実施例３における変形例１の可視光および赤外線の照射態様を示す図
【図６】実施例３における変形例２の可視光および赤外線の照射態様を示す図
【図７】実施例４の可視光および赤外線の照射態様を示す図
【図８】実施例４における変形例の可視光および赤外線の照射態様を示す図
【図９】図９（Ａ）は体動が多い場合の赤外線センサ（体動検出センサ）の出力波形を示す図であり、図９（Ｂ）は体動が少ない場合の赤外線センサの出力波形を示す図
【図１０】実施例５の可視光および赤外線の照射態様を示す図
【図１１】図１１（Ａ）はトリガＨとトリガＲとの間の時間が閾値より短い場合における赤外線センサの出力波形を示す図であり、図１１（Ｂ）はトリガＨとトリガＲとの間の時間が閾値より長い場合における赤外線センサの出力波形を示す図
【発明を実施するための形態】
【００１１】
以下、本発明に係る実施形態の照明装置について、図面を参照して説明する。
図１は、本実施形態の照明装置を適用した目覚まし装置１を示す。この目覚まし装置１は、入力部１１、計時部１２、センサ部１３、演算部１４、制御部１５、可視光照射部１６、熱放射用赤外線照射部１７、音源部１８、温度検出部１９、および電源部（図示せず）を備えている。
【００１２】
次に、上記各構成要素について説明する。入力部１１は、ユーザが起床予定時刻(起床設定時刻)の設定、アラームの停止、可視光および赤外線の出力調整あるいはON／OFF等を行うためのインターフェースである。この入力部１１には、液晶等の表示装置を備えることができる。
【００１３】
計時部１２は、現在時刻を検出し、検出結果（現在時刻情報）を演算部１４に送る。センサ部１３は、体動の測定によりユーザの睡眠状態の検出を行う。体動の測定には、寝具上もしくは寝具下に設置する圧電センサ（各種圧力センサ）や、ユーザが腕等の身体に装着する加速度センサ、寝具上を検出域とする非接触の赤外線センサ等各種のセンサを用いることができる。
【００１４】
演算部１４は、入力部１１によって設定された起床予定時刻と、計時部１２からの現在時刻情報と、センサ部１３からのユーザの体動情報とに基づいて、可視光照射部１６、熱放射用赤外線照射部１７および音源部１８の制御信号を制御部１５に送る。
【００１５】
制御部１５は、演算部１４からの制御信号に基づいて、可視光照射部１６、熱放射用赤外線照射部１７、および音源部１８の制御を行う。そして、制御部１５は、入力部１１によって入力された起床予定時刻、および予め設定された調光スケジュールに基づいて、可視光照射部１６から発生する可視光の出力を漸増させるとともに、可視光の漸増期間中における少なくとも一区間に、熱放射用赤外線照射部１７から赤外線を発生させる。
【００１６】
上記調光スケジュールは、可視光発生開始時刻から起床予定時刻までの間に、可視光の出力レベルを変化させる予定である。
【００１７】
可視光照射部１６は、漸増する可視光（覚醒支援光）を発生する光源であり、制御部１５の制御により点灯する。可視光照射部１６としては、光源の種類は問わないが、ＬＥＤ（Light Emitting Diode）や有機ＥＬ（Electro Luminescence）等の固体光源を使用できる。
【００１８】
熱放射用赤外線照射部１７は、赤外線を発する熱源を構成するものであり、制御部１５の制御により所定の赤外線を発生する。熱源の種類は問わない。音源部１８は、ユーザの起床を促す音を発生するものであり、制御部１５の制御によりアラーム音等を発生させる。
【００１９】
温度検出部１９は、寝具周囲の温度を検出し、その検出結果を制御部１５に送る。制御部１５は、温度検出部１９の検出結果に基づいて、熱放射用赤外線照射部１７を制御する。
【００２０】
次に、この目覚まし装置１の作用を説明する。この目覚まし装置１は、ユーザが例えば就寝前に、入力部１１を操作することにより、希望する起床予定時刻を設定すると、設定された起床予定時刻より所定の時間前に、可視光照射部１６から可視光が発生される。可視光照射部１６から発生された可視光は、時間の経過に伴って漸増される。この可視光は、ユーザの顔もしくはその付近に照射するのが効果的である。
【００２１】
また、可視光照射部１６から発生される可視光の漸増期間中の少なくとも一区間において、熱放射用赤外線照射部１７から赤外線が発生される。可視光照射部１６から発生される可視光、および熱放射用赤外線照射部１７から発生される赤外線が、ユーザまたはその周囲に照射されるようにすることにより、光と熱を伴う太陽光を浴びながらの目覚ましと同様の目覚まし効果を実現できる。このように、熱刺激が付加されることにより、覚醒効果（目覚まし効果）が高くなる。また、特に冬季においては、ユーザおよびその周囲の温度を高めることができ、ユーザが起床しやすい環境を作り出すことができる。
【００２２】
一方、可視光のみによる漸増光照射においては、起床予定時刻に対して早過ぎる時刻に目覚めてしまうことも想定される。この場合は、赤外線による熱放射を、起床予定時刻に近い時間帯（一区間）のみに実施することにより、できるだけ起床予定時刻に近い時間に目覚めるようにできる。
【００２３】
また、赤外線の熱刺激による目覚めでは、ユーザが「暑過ぎる」と感じることがないように、熱放射強度（温度）を調整すること、季節に応じて熱放射強度（温度）を調節すること（例えば、夏は温度を下げる）、等を実行できるが、個人差や気温、体温、体調等により暑く感じる熱放射強度（温度）が異なるため、上述のようなユーザ設定のみによる制御では不十分な場合がある。
【００２４】
ここで、ユーザの体動に着目すると、室温が高い場合は睡眠時の体動が増えるとされている。これは、睡眠時の暑さから、ユーザが寝具と身体の間に蓄積された熱を放熱するために、無意識のうちに寝返りしていると考えられる。従って、ユーザの寝返り、すなわち睡眠時の体動を検出することにより、睡眠中のユーザの暑熱感を予測できる。そこで、ユーザの体動（身体の動き）が、設定したある一定の値を超えた場合には、ユーザへの熱負荷が高い状態にあると判定し、赤外線による熱放射を停止する、もしくは放射強度を低下させることによって、上記のような暑さによる不快な目覚めを回避することが可能となる。
【００２５】
体動の測定は、寝具上または寝具下に設置した圧電センサ（各種圧力センサ）、ユーザが腕等の身体の所定の部位に装着する加速度センサ、寝具上を検出域とする非接触の赤外線センサ等によって行うことができる。
【００２６】
（実施例１）
次に、実施例１について説明する。実施例１においては、照明装置1の可視光照射部１６によって可視光による漸増光照射に合わせて、熱放射用赤外線照射部１７によって赤外線による熱放射を行うことにより、光刺激と熱刺激の両方でユーザの覚醒（目覚め）を促進・支援するように構成されている。
【００２７】
なお、ユーザが比較的深い睡眠から目覚めたときは、急激な覚醒となることから不快感を感じ、比較的浅い催眠から目覚めたときは、快適に目覚めることが知られている。
【００２８】
実施例１においては、ユーザが、目覚まし装置１の入力部１１を操作することにより、起床予定時刻を設定する。そうすると、図２に示すように、起床予定時刻の所定時間前（例えば、３０分前）に、可視光照射部１６および熱放射用赤外線照射部１７から可視光および赤外線が発生され、その出力が時間の経過とともに漸増される。そして、起床予定時刻までユーザが目覚めなかった場合（例えば、アラーム音の停止ボタンが押されなかった場合）には、起床予定時刻に音源部１８からアラーム音が発生される。
【００２９】
実施例１においては、可視光照射部１６による可視光の漸増光照射出力に合わせて、熱放射用赤外線照射部１７から発生される赤外線による熱放射出力が漸増される。赤外線は、可視光照射期間の開始から終了までの間（一定区間）にわたって継続的に照射される。これにより、光（可視光）刺激と熱刺激の二つの刺激手段によって、より効果的にユーザの目覚めを促すことにより、ユーザが浅い睡眠から目覚めるようにでき、快適で自然な目覚めを促すことができる。
【００３０】
また、光（可視光）による漸増光照射のみの場合と比較して覚醒効果が高くなることにより、ユーザが目覚め易くなるとともに、赤外線により身体と寝具周辺が温められるため、特に寒い冬季には、ユーザが寝具から出るのを容易にする効果がある。
【００３１】
（実施例１の変形例）
上記の例では、可視光漸増に合わせて赤外線による熱放射出力を漸増させたが、赤外線による熱放射出力は赤外線照射期間中一定にし、または断続的に発生するようにできる。あるいは、赤外線照射の開始時に熱放射出力を最大とし、時間の経過とともに徐々に低下させる等、各種の制御が可能である。
【００３２】
（実施例２）
次に、実施例２について説明する。実施例２においては、実施例１と同様に、ユーザが目覚まし装置１の入力部１１により起床予定時刻を設定すると、図３に示すように、起床予定時刻の所定時間前（例えば、３０分前）より、可視光照射部１６から可視光が発生される。この可視光による照明出力は、時間の経過とともに漸増される。
【００３３】
また、可視光による漸増光照射の後半（一定区間）に、図３中に破線で示すように、熱放射用赤外線照射部１７から赤外線が発生され、この赤外線出力も時間の経過とともに漸増される。これにより、光（可視光）刺激と熱刺激の二つの刺激手段によって、ユーザをより効果的に目覚めさせる（覚醒させる）ことができる。
【００３４】
また、可視光の漸増光照射の前半においては、赤外線による熱放射を行わないことにより、過度の刺激によって起床予定時刻より早期に目覚める（覚醒する）のを防止することができる。これによって、ユーザを浅い睡眠から目覚めさせることができ、快適で自然な目覚めを促すことができる。
【００３５】
（実施例３）
次に、実施例３について説明する。実施例３においては、実施例１と同様に、ユーザが目覚まし装置１の入力部１１によって起床予定時刻を設定すると、図４に示すように、起床予定時刻の所定時間前（例えば、３０分前）より可視光照射部１６から可視光が発生され、照明出力が漸増される。
【００３６】
また、実施例３においては、センサ部１３によって、予め設定された値以上の体動（ユーザの身体の動作）が検出された時点（図４中の点Ａ）で、演算部１４によって、ユーザへの熱放射が過度であると判断され、熱放射出力の漸増が停止される。
【００３７】
その後、演算部１４によって、所定時間、体動が発生していないと判断された時点(図４中の点Ｂ)で、再度、制御部１５および熱放射用赤外線照射部１７による熱放射出力の漸増が開始される。
なお、点Ｂ以降に再び設定された以上の体動が発生した場合においては、再度、点Ａ以降の制御が繰り返される。
【００３８】
（実施例３の変形例１）
図５に示すように、センサ部１３によって、予め設定された値以上の体動が検出された場合には、予め設定された値以上の体動が検出された時点（点Ａ）で、演算部１４によって、ユーザへの熱放射が過度であると判断され、制御部１５および熱放射用赤外線照射部１７によって、赤外線による熱放射出力が予め設定された体動発生以前のレベルまで低下され、その出力レべルが維持される。
【００３９】
（実施例３の変形例２）
図６に示すように、センサ部１３によって、予め設定された値以上の体動が検出された時点（点Ａ）で、演算部１４によって、ユーザへの熱放射が過度であると判断され、制御部１５および熱放射用赤外線照射部１７によって、赤外線による熱放射出力が体動発生以前のレベルまで低下される。その後、所定時間、体動が発生していないことが検出された時点（点Ｂ）で、再度、熱放射出力の漸増が開始される。
なお、点Ｂ以降に再び設定された以上の体動が発生した場合においては、再度、点Ａ以降の制御を繰り返すことができる。
【００４０】
実施例３においては、ユーザが完全に目覚める前（覚醒する前）に、熱放射の漸増を停止することにより、暑さによる覚醒という不快な目覚めを回避できる。そして、起床予定時刻にアラーム音でユーザを浅い睡眠から目覚めさせることにより、快適で自然な目覚めを促すことができる。
【００４１】
（実施例４）
次に、実施例４について説明する。図７に示すように、可視光照射部１６による可視光の漸増光照射を行う直前の所定の期間を、「暑熱感評価期間」とする。そして、この暑熱感評価期間における体動量を検出し、体動量が予め設定された値より多かった場合は、赤外線による熱放射をユーザが「暑い」と感じる（不快な目覚めにつながる）可能性が高いと判断し、赤外線による熱放射出力が行われない。
【００４２】
これに対して、暑熱感評価期間における体動量が、予め設定された値以下の場合は、赤外線による熱放射が行われる。
【００４３】
（実施例４の変形例）
図８に示すように、可視光による漸増光照射期間の前半における所定の期間を「暑熱感評価期間」とし、この暑熱感評価期間における体動量を検出し、体動量が予め設定された値より多かった場合は、熱放射を行うことによりユーザが「暑い」と感じる（不快な目覚めにつながる）可能性が高いと判断し、赤外線による熱放射出力が行われない。体動量が予め設定された値以下の場合は、熱放射出力が行われる。
【００４４】
なお、図７および図８に示した例において、暑熱感評価期間における体動量が少なく、その後に赤外線による熱放射の漸増出力を実施した場合でも、実施例１〜３と同様に、赤外線照射中における体動出現状況に応じた制御を併用してもよい。
【００４５】
また、赤外線よる熱放射出力の制御は、出力レベルのみで行うことができる。さらに、温度検出部１９によって検出された寝具周囲温度を用いて、フィードバック制御を行うこともできる。
【００４６】
実施例４においては、ユーザが暑いと感じる可能性が高いと判断した場合は、未然に熱放射の発生または熱放射の漸増を中止することにより、暑さによる覚醒という不快な目覚めを回避できる。
（実施例５）
【００４７】
実施例５においては、体動測定に基づいて赤外線照射を制御する。体動の測定は、センサ部１３によって行われる。このセンサ部１３は、寝具上もしくは寝具下に設置された圧電センサ（各種圧力センサ）や、ユーザが腕等の身体に装着する加速度センサ、寝具上を検出域とする非接触の赤外線体動センサ等を用いることができる。
【００４８】
図９は、一般的な赤外線体動センサによって、体動を検出した際に出力する電気的信号（波形）を示す。赤外線体動センサは、体動を検出すると矩形波を出力する。図９（Ａ）に示すように、体動が連続している場合は、矩形波が短時間に連続的に出力される。体動が所定時間測定されない場合は、図９（Ｂ）に示すように、矩形波が出力されない。
【００４９】
例えば、室温が高い場合は、寝具周辺の温度が上がることにより、寝具と身体表面の間に熱が蓄積され、それを放熱するためにユーザが寝返りをすると考えられる。従って、図９に示すように、単位時間当たりの体動頻度、すなわち矩形波の出現頻度により、ユーザに対する熱放射が過度であるかどうかを推測できる。
【００５０】
より具体的には、単位時間当たりの体動数（矩形波数）に闘値を設定し、体動数が闘値を超えた場合には、過度の熱放射であると判定できる。これにより、図１０に示すように、トリガHold（トリガＨ）を発生させ、図１０中に波線で示すように、赤外線による熱放射の出力レベルを低下させる。
【００５１】
この後、寝具周囲の温度が下がることにより、体動は再び消失する。この際、過度の熱負荷がかかった状態からの脱却が確実なものであれば、無体動の時間がより長く継続される（図９（Ｂ）参照）。この無体動継続時間に闢値を設定し、無体動継続時間が闘値を超えた場合には、過度の熱負荷状態から脱したと判定できる。この場合は、図１０に示すように、トリガRecover（トリガＲ）を発生させ、赤外線による熱放射の出力を再上昇させる。
【００５２】
図１１（Ａ）に示すように、トリガＨ発生後、闘値Ｔ（Ｒ）を上回る連続した体動未検出時間（無体動継続時間）を検出すると、トリガＲが発生する。ここで、トリガＨ発生後、トリガＲが発生するまでの時間内に体動が生じた場合は、より熱負荷が高い状況にあると判断し、闘値Ｔ(Ｒ)をより長く設定してもよい。
【００５３】
すなわち、図１１（Ｂ）に示すように、トリガＨ発生後にも体動が発生している場合には、闘値Ｔ（Ｒ）＜闘値Ｔ（Ｒ）’となるように闘値が再設定される。また、トリガＨ発生後に体動が多く発生するほど、闢値Ｔ（Ｒ）はより長く設定できる。
【００５４】
これにより、より熱負荷が高い状況にあると判断された場合は、赤外線による熱放射の出力上昇がより長い時間抑制され、不快な覚醒防止を精度よく実現できる。
【符号の説明】
【００５５】
１  目覚まし装置（照明装置）
１１  入力部
１２  計時部
１３  センサ部
１４  演算部
１５  制御部
１６  可視光照射部
１７  熱放射用赤外線照射部
１８  音源部
【図１】
2012079542.tif 000003
【図２】
2012079542.tif 000004
【図３】
2012079542.tif 000005
【図４】
2012079542.tif 000006
【図５】
2012079542.tif 000007
【図６】
2012079542.tif 000008
【図７】
2012079542.tif 000009
【図８】
2012079542.tif 000010
【図９】
2012079542.tif 000011
【図１０】
2012079542.tif 000012
【図１１】
2012079542.tif 000013